(57)【要約】【課題】配管支持対象に容易に配管を固定することができ、かつ、配管が外れる方向に外力が作用したり火災時などの高温の環境下におかれた場合であっても配管を支持固定する。【解決手段】配管支持装置１は、一端に開孔が形成された一対の配管支持片と、前記配管支持片の他端同士を連結する座部とを備え、配管支持対象への固定手段を前記座部に備えるコ字状断面形状を有する配管支持本体部材２と、一方の開孔から他方の開孔に橋渡しされ、先端に他方の開孔に掛止する掛止部を有する第１、第２の橋渡し部と、前記第１、第２の橋渡し部を支持する基部と、後端側で一方の開孔で係止する係止部とを備え、耐火性を有する配管脱落防止部材３と、を有する。【選択図】図２
2014119008.tif 000002
【特許請求の範囲】
【請求項１】
配管を配管支持対象に固定する配管支持装置であって、
一端に開孔が形成された一対の配管支持片と、前記配管支持片の他端同士を連結する座部とを備え、前記配管支持対象への固定手段を前記座部に備えるコ字状断面形状を有する配管支持本体部材と、
一方の開孔から他方の開孔に橋渡しされ、先端に他方の開孔に掛止する掛止部を有する第１、第２の橋渡し部と、前記第１、第２の橋渡し部を支持する基部と、後端側で一方の開孔で係止する係止部とを備え、耐火性を有する配管脱落防止部材と、
を有することを特徴とする配管支持装置。
【請求項２】
前記第１、第２の橋渡し部は、互いに弾性的に拡縮可能に設けられ、前記第１、第２の橋渡し部の先端に設けられた前記掛止部は、前記他方の開孔を通過したときに弾性的に前記他方の開孔に掛止することを特徴とする請求項１に記載の配管支持装置。
【請求項３】
前記第１、第２の橋渡し部は、先端に向かって先細りとなるようにテーパ部が設けられ、その後端には一方の開孔と同寸法の段部が形成されており、
前記第１、第２の橋渡し部は、前記一方の開孔から前記他方の開孔に向かって挿入されるにつれて前記テーパ部が相対的に前記一方の開孔によって弾性的に縮められ、前記テーパ部が前記一方の開孔を通過したとき、前記第１、第２の橋渡し部はその弾性によって拡がって前記段部が前記一方の開孔に係止するともに、先端の前記掛止部が前記他方の開孔に掛止することを特徴とする請求項２に記載の配管支持装置。
【請求項４】
前記配管脱落防止部材は、弾性を有する金属製の線材を曲げて形成されていることを特徴とする請求項１乃至３のいずれかに記載の配管支持装置。
【請求項５】
前記配管脱落防止部材は、弾性を有する金属板をその肉厚方向に折り曲げて形成されていることを特徴とする請求項１乃至３のいずれかに記載の配管支持装置。
【請求項６】
前記配管脱落防止部材は、金属板を打ち抜き加工により形成されていることを特徴とする請求項１乃至２のいずれかに記載の配管支持装置。
【発明の詳細な説明】
【技術分野】
【０００１】
本発明は、都市ガスなどの流体を流動させる管（例えばガス用フレキシブル管）を壁面などの配管支持対象に固定する配管支持装置に関する。
【背景技術】
【０００２】
従来からガスの屋内配管にはガス用のフレキシブル管が使用されている。フレキシブル管は鋼管に比して質量も小さく、また自由に曲げて配管をすることができるので、施工性に優れている。このフレキシブル管を壁面上へ配管して固定する際には、例えば図９（ａ）に示されるような配管固定金具６が使用される。この配管固定金具６によれば、配管を固定したい箇所において、配管支持対象Ｗと配管固定金具６の間にフレキシブル管Ｐを挟みこんだ状態を保ちつつ配管固定金具６を配管支持対象Ｗにねじ止めしなければならない。そのため、フレキシブル管Ｐと配管固定金具６を支持する作業者と、ねじ止めする作業者がそれぞれ必要となり、非効率な作業にならざるを得なかった。
【０００３】
そこで、一人の作業者であっても容易に壁面への配管固定可能な配管固定金具として、図９（ｂ）に示されるような配管固定金具７が提案され実用に供されている。この配管固定金具７は、配管Ｐを弾性的に狭着保持する対をなす支持片７１と、支持片７１の一方の端部同士を連結する座部７２とからなる断面が略コ字状に形成された部材である。この配管固定金具７によれば、配管支持対象Ｗの配管Ｐを固定したい箇所にあらかじめ配管固定金具７を固定しておき、最後に配管Ｐを配管固定金具７に押し込むだけの作業で固定することができるので、少ない作業者で効率的に配管の固定作業を行うことができる。しかし、図９（ｂ）の配管固定金具であっても、配管Ｐに外れる方向の外力が作用した場合には配管の保持が十分ではなく外れる場合があり、その問題を解決するために引用文献１には図９（ｃ）に示される管固定具８が提案されている。この管固定具８は、円周方向に可動で弓形状の保持片８１と、保持片の円周方向の移動を係止する係止部８２と、これらと連結される固定座８３とを備え、容易かつ強固に配管を支持固定することができる。
【先行技術文献】
【特許文献】
【０００４】
【特許文献１】特開平０７−１４５８７８号公報
【発明の概要】
【発明が解決しようとする課題】
【０００５】
前述したように、図９（ｂ）の配管固定金具では、支持片の弾性のみで配管を支持固定しているので、何かの拍子に配管が外れる方向に外力が作用した場合に配管が外れるおそれがある。また、火災などの高温に配管固定金具がさらされた場合には、配管固定金具が軟化して配管が支持できなくなる場合がある。また、図９（ｃ）の管固定具では、可動保持片と係止部を備えた管固定具は保持片に可動性を持たせるために合成樹脂で形成され火災時には焼失して配管を保持できないという問題がある。
【０００６】
したがって、本発明は以上の従来技術の問題に鑑みてなされたものであり、配管支持対象に容易に配管を固定することができて、かつ、配管が外れる方向に外力が作用したり火災時などの高温の環境下おかれた場合であっても配管を支持固定することができる配管支持装置を提供することを目的とする。
【課題を解決するための手段】
【０００７】
上記の課題を解決するために、本発明の配管支持装置は、
配管を配管支持対象に固定する配管支持装置であって、
一端に開孔が形成された一対の配管支持片と、前記配管支持片の他端同士を連結する座部とを備え、前記配管支持対象への固定手段を前記座部に備えるコ字状断面形状を有する配管支持本体部材と、
一方の開孔から他方の開孔に橋渡しされ、先端に他方の開孔に掛止する掛止部を有する第１、第２の橋渡し部と、前記第１、第２の橋渡し部を支持する基部と、後端側で一方の開孔で係止する係止部とを有する配管脱落防止部材と、
前記配管支持本体部材を前記配管支持対象に固定する固定部材と、
を有することを特徴とするものである。
【０００８】
また、本発明の配管支持装置において、前記第１、第２の橋渡し部は、互いに弾性的に拡縮可能に設けられ、前記橋渡し部の先端に設けられた前記掛止部は、前記他方の開孔を通過したときに弾性的に前記他方の開孔に掛止することができる。
【０００９】
また、本発明の配管支持装置において、前記第１、第２の橋渡し部は、先端に向かって先細りとなるようにテーパ部が設けられ、その後端には一方の開孔と同寸法の段部が形成されており、
前記第１、第２の橋渡し部は、前記一方の開孔から前記他方の開孔に向かって挿入されるにつれて前記テーパ部が相対的に前記一方の開孔によって弾性的に縮められ、前記テーパ部が前記一方の開孔を通過したとき、前記第１、第２の橋渡し部はその弾性によって拡がって前記段部が前記一方の開孔に係止するともに、先端の前記掛止部が前記他方の開孔に掛止することができる。
【００１０】
また、本発明の配管支持装置において、前記配管脱落防止部材は、弾性を有する金属製の線材を曲げて形成されてもよい。
【００１１】
また、本発明の配管支持蔵置において、前記配管脱落防止部材は、弾性を有する金属板をその肉厚方向に折り曲げて形成されてもよい。
【００１２】
また、本発明の配管支持蔵置において、前記配管脱落防止部材は、金属板を打ち抜き加工により形成されてもよい。
【発明の効果】
【００１３】
本発明の配管支持装置によれば、簡単な形状の配管支持本体部材を配管支持対象の必要な箇所に予め固定しておき、固定された配管支持本体部材に配管を支持させ、配管支持本体部材に形成された開孔間に配管脱落防止部材を橋渡して配管の脱落を防止するので、配管支持対象に容易に配管を固定することができる。さらに、配管脱落防止部材は耐火性を有しているので、配管支持装置が高温にさらされた際にも配管の支持を維持することができる。
【図面の簡単な説明】
【００１４】
【図１】本発明に係る配管支持装置の使用状態を示す斜視図である。
【図２】本発明に係る配管支持装置の使用状態を示す側面図である。
【図３】本発明に係る配管支持装置における配管支持本体部材を示す斜視図である。
【図４】本発明に係る配管支持装置における配管脱落防止部材を示す平面図である。
【図５】本発明に係る配管支持装置による配管の支持手順を示す側面図である。
【図６】配管脱落防止部材の挿入動作を示す平面図である。
【図７】配管脱落防止部材の他の形態を示す平面図である。
【図８】配管脱落防止部材の他の形態を示す平面図である。
【図９】従来技術を示す断面図である。
【発明を実施するための形態】
【００１５】
以下、図面を参照して本発明の一つの実施の形態に係る配管支持装置について説明する。
本発明の一実施の形態に係る配管支持装置１は、図１、図２に示されるように、配管支持対象Ｗ（ここでは壁面）に固定され配管Ｐを支持する配管支持本体部材２と、配管支持本体部材２の開放側の端部に装着され配管支持部材からの配管Ｐの脱落を防止する配管脱落防止部材３と、配管支持対象Ｗに配管支持本体部材を固定する固定部材４とで構成されている。以下、各部材の詳細についてそれぞれ説明する。
【００１６】
図３に示されるように、配管支持本体部材２は、一端に開孔２１，２１が形成された一対の配管支持片２２，２２と、配管支持片の他端同士を連結する座部２３とを備えるコ字状断面形状を有している。配管支持片２２は、配管を弾性的に挟みこんで保持する円弧状の保持部２４と、保持部２４から外側に向かって拡開するテーパ面２５が形成されている。保持部２４は、配管Ｐの外面と同じか若干大きな曲率半径に設けられており、配管Ｐに外面をしっかり保持することができる。また、テーパ面２５は、配管Ｐを保持部２４に向かって押し込む際の挿入ガイドとして作用し、配管Ｐはテーパ面２５に沿って配管支持片２２を弾性的に押し拡げて保持部２４まで容易に挿入される。また座部２３の中央には、配管固定対象に固定するための固定手段として、固定部材４を通すための貫通孔２６が形成されている。
配管支持本体部材２は、配管支持片２２が保持部２４の付け根部から弾性的に変形し配管を弾性的に挟みこんで保持するために弾性を有する金属材料（例えば、ばね用冷間圧延鋼、ばね用ステンレス鋼、ばね用りん青銅）で形成されている。また、配管支持本体部材２は、支持される配管の保護、配管支持本体部材２の防食、および絶縁のために被覆が施されている。被覆としては、例えばエポキシ塗装やポリアミド樹脂被覆を用い得る。
【００１７】
図４に示されるように、配管脱落防止部材３は、対をなす第１の橋渡し部３１と第２の橋渡し部３２と、第１、第２の橋渡し部３１，３２の後端部同士を連結する基部３３とを有する。第１、第２の橋渡し部３１，３２は先端に向かって先細りとなるよう設けられ、それぞれの先端は外側に向かって鍵状に折り曲げられた掛止部３４が形成されている。また、第１、第２の橋渡し部は後端部付近で折り曲げられて段部３６が設けられている。
配管脱落防止部材３は、配管支持本体部材２に形成された開孔２１，２１の間に弾性的に橋渡すために、弾性を有する金属製の線材で形成され、対をなす第１、第２の橋渡し部は弾性的に拡縮可能に設けられている。また、配管脱落防止部材３も配管支持本体部材２と同様に、配管の保護、配管脱落防止部材３の防食、および絶縁のために被覆が施されている。被覆としては、例えばエポキシ塗装やポリアミド樹脂被覆を用い得る。
【００１８】
図２に示されるように、配管支持本体部材２は固定部材４によって配管支持対象Ｗに固定されている。本実施の形態における固定部材４は、配管固定対象への固定手段として座部２３に形成された貫通孔２６から配管支持対象Ｗにねじ込まれるネジ部材である。
【００１９】
次に、図５、図６を使って、この配管支持装置１を使用した配管Ｐの配管支持対象Ｗへの固定手順を説明する。なお、ここでは配管Ｐとして外面を樹脂被覆されたフレキシブル管を使用する場合について説明する。
１．まず、配管支持対象Ｗの配管を固定する箇所を決定し、必要な数量の配管支持装置１と必要な長さのフレキシブル管Ｐを準備する。
２．次いで、図５（ａ）に示すように、配管支持対象Ｗの固定箇所に配管支持本体部材２を固定部材４で固定する。このとき配管支持本体部材２は所定の長さ（例えば１．０ｍ）毎に固定される。
３．次いで、図５（ｂ）に示すように、配管支持対象Ｗに固定された配管支持本体部材２の開放端部側からフレキシブル管Ｐを押し込んで、フレキシブル管Ｐを配管支持本体部材２に装着する。このとき、フレキシブル管Ｐは、配管支持片２２のテーパ面２５に沿って配管支持片２２を矢印方向に弾性的に押し拡げつつ挿入され、図５（ｃ）に示すようにテーパ面２５を通過後は保持部２４に保持される。この状態でフレキシブル管Ｐは配管支持片２２は弾性保持部２４によって弾性的に狭着保持されているので容易に脱落することはない。
４．次いで、図５（ｄ）に示すように、配管脱落防止部材３を、配管支持片２２の端部に形成された一方の開孔２１から他方の開孔２１に向かって橋渡して装着する。配管脱落防止部材３は次のようにして開孔２１，２１の間に橋渡しされる。図６（ａ）に示すように配管支持本体部材２にフレキシブル管Ｐが装着された状態で、配管脱落防止部材３を準備する。次いで、図６（ｂ）に示すように、一方の開孔２１（図中下側の開孔）から他方の開孔２１に向かって第１、第２の橋渡し部３１，３２が挿入される。配管脱落防止部材３は、第１、第２の橋渡し部３１，３２が後端同士の間隔が開孔２１の幅よりも若干大きくなるように、かつ先端に向かって先細りとなるように設けられており、一方の開孔２１から他方の開孔２１に向かって押し込むにつれて、第１、第２の橋渡し部３１，３２は一方の開孔２１に押されて間隔が狭まるように弾性的に縮められるので、先端が他方の開孔２１に到達した際に先端の掛止部３４が他方の開孔２１を容易に通過することができる。さらに押し込まれ、図６（ｃ）に示すように段部３６が一方の開孔２１まで到達すると、第１、第２の橋渡し部３１，３２が弾性的に拡がって先端の掛止部３４，３４が他方の開孔２１に掛止する。同時に、配管脱落防止部材３の後端側も係止部３５が一方の開孔２１に係止する。このように配管脱落防止部材３が配管支持本体部材２の開放端部を塞ぐように装着される。
【００２０】
なお、本実施の形態においては、図４に示されるように、配管脱落防止部材３は断面形状が円形の金属製の線材で形成されているが、図７に示されるようにＡＡ断面の形状が厚さｔで所定幅ｂを有する金属板を肉厚方向に折り曲げて形成することもできる。
【００２１】
また、配管脱落防止部材の他の形態として、図８に示される構造とすることもできる。図８の配管脱落防止部材５は、先端に掛止部５３が形成された対をなす第１、第２の橋渡し部５１，５２と、第１、第２の橋渡し部５１，５２とを支持する基部５４と、基部の後端部に設けられた段差からなる係止部５５とを有する金属板で形成されている。この配管脱落防止部材５も、図４の脱落防止部材３と同様に、配管支持本体部材２に形成された開孔２１，２１の間に橋渡しされて、配管支持本体部材２からの配管の脱落を防止する。配管脱落防止部材５は、金属板で設けられるので、図４の配管脱落防止部材３に比して第１の橋渡し部と第２の橋渡し部のねじれが生じにくく、配管支持本体部材の開孔２１に管脱落防止部材を確実に挿入し装着することが可能である。また、配管の脱落を面で受け止めることができるので、配管が外れる方向に外力が作用した場合に配管を優しく保持することができる。また、配管防止部材５は金属板で形成されるので、プレスによる打ち抜き加工により形成することが可能で、生産性に優れている。
【符号の説明】
【００２２】
Ｐ：配管（フレキシブル管）
Ｗ：配管支持対象
１：配管支持装置
２：配管支持本体部材、２１：開孔、２２：配管支持片、２３：座部、２４：保持部
２５：テーパ面、２６：貫通孔
３，５：配管脱落防止部材、３１，５１：第１の橋渡し部、３２，５２：第２の橋渡し部
３４，５４：掛止部、３５，５５：係止部、３６：段部
４：固定部材
６，７：配管固定金具
８：管固定具
【図１】
2014119008.tif 000003
【図２】
2014119008.tif 000004
【図３】
2014119008.tif 000005
【図４】
2014119008.tif 000006
【図５】
2014119008.tif 000007
【図６】
2014119008.tif 000008
【図７】
2014119008.tif 000009
【図８】
2014119008.tif 000010
【図９】
2014119008.tif 000011